(57)【要約】【課題】把手の回動により光モジュールとケージとの係止を解除する構成において、光モジュールとケージとの係止及び係止解除を確実ならしめることができ、規格（ＭＳＡ）で定められた寸法の範囲内で外部から光モジュールの舌片へのアクセスを防止することができる機構を備えた光モジュールを提供する。【解決手段】ケージ３２に対して挿脱可能な光モジュール３１は、前記ケージ３２に前記光モジュール３１が挿入された状態で、前記ケージ３２に設けられた係止孔８１に挿通されて前記ケージ３２と前記光モジュール３１とを係止する係止ピン３８と、軸部７３を有し、前記軸部７３を中心に、前記係止ピン８３が前記係止孔８１から解止される方向に回動可能に設けられた舌片７０と、回転軸８２を中心に回動されることにより、連動して前記舌片７０を回動する把手３３と、を備え、前記把手３３が９０度回動されると、前記係止ピン３８と前記係止孔８１との挿通による前記ケージ３２と前記光モジュール３１の係止が解除されることを特徴とする。【選択図】  図１４
2008233645.tif 000002
【特許請求の範囲】
【請求項１】
ケージに対して挿脱可能な光モジュールであって、
前記ケージに前記光モジュールが挿入された状態で、前記ケージに設けられた係止孔に挿通されて前記ケージと前記光モジュールとを係止する係止ピンと、
軸部を有し、前記軸部を中心に、前記係止ピンが前記係止孔から解止される方向に回動可能に設けられた舌片と、
回転軸を中心に回動されることにより、連動して前記舌片を回動する把手と、を備え、
前記把手が９０度回動されると、前記係止ピンと前記係止孔との挿通による前記ケージと前記光モジュールの係止が解除されることを特徴とする光モジュール。
【請求項２】
請求項１記載の光モジュールであって、
前記舌片は、棒部材を有し、
前記把手は、当該光モジュールの側面に設けられ、
前記把手の主面に形成された貫通孔内に、前記舌片の前記棒部材が位置することを特徴とする光モジュール。
【請求項３】
請求項２記載の光モジュールであって、
前記把手が所定の角度回動されて、前記貫通孔の外周部分が前記舌片の前記棒部材を押すと、前記舌片が前記軸部を中心に回動することを特徴とする光モジュール。
【請求項４】
請求項１乃至３いずれか一項記載の光モジュールであって、
当該光モジュールの下部には壁部が設けられ、
前記把手は、当該光モジュールの２つの側面にそれぞれ設けられ、上部に於いて把手連結部材に互いに連結され、
前記把手連結部材は、前記把手と一体的に回動され、
前記ケージと前記光モジュールとが係止されている状態においては、前記壁部により、当該光モジュールの正面側からの前記舌片への接触が禁止され、
前記把手が回動された状態においては、前記把手連結部材により、当該光モジュールの正面側からの前記舌片への接触が禁止されることを特徴とする光モジュール。
【請求項５】
請求項１記載の光モジュールであって、
前記舌片は、当該光モジュールの側面上に位置する把手取付部を有し、
前記把手取付部には貫通孔が形成され、
前記把手は、前記把手取付部上に設けられ、棒部材を有し、
前記舌片の前記把手取付部に形成された前記貫通孔内に、前記把手の前記棒部材が位置することを特徴とする光モジュール。
【発明の詳細な説明】
【技術分野】
【０００１】
本発明は、電気信号または光信号の入力や出力を行う通信装置の光モジュール構造に関し、より具体的には、光モジュールと光モジュールを収容するケージとの係止構造、および、係止の解除を行う構造に関する。
【背景技術】
【０００２】
電気信号又は光信号の入力や出力を行う通信装置がモジュール化され、光モジュールを収容するケージに挿着／抜脱が可能な光モジュール構成が知られている。
【０００３】
モジュール化される通信装置としては、例えば、電気信号を光信号に変換し送出するＥ／Ｏモジュールや、光信号を電気信号に変換し受信するＯ／Ｅモジュールがある。
【０００４】
小形化を指向した光通信装置の分野では、構成要素の仕様の標準化（マルチソース化）が進められており、光モジュールおよびケージの寸法や、光／電気のインターフェース部の互換性、光モジュールのケージへの挿脱に関する機械的な互換性等についても、規格（ＭＳＡ：  Ｍｕｌｔｉ  Ｓｏｕｒｃｅ  Ａｇｒｅｅｍｅｎｔ）が定められている。
【０００５】
光モジュールのケージへの挿脱機構として、光モジュールの把手を収容位置から引き出し位置に回動させることにより、光モジュールとケージとの係止を解除する構成が知られている（特許文献１参照）。
【０００６】
図１（Ａ）乃至（Ｃ）は、モジュール化された光通信装置の挿脱機構を下方から見た斜視図である。
【０００７】
図１（Ａ）は光モジュール１がケージ２の中に挿着されている状態、図１（Ｂ）は光モジュール１の把手３を収容位置から引き出し位置に矢印５１で示す方向に回動し、光モジュール１とケージ２との係止を解除した状態、図１（Ｃ）は把手３により光モジュール１をケージ２より抜脱途中の状態を示す。
【０００８】
図１（Ａ）に示す状態において、把手３は矢印５０の方向にコネクタ嵌合部４に抱かれて倒立し、収容位置にある。この状態では、ケージ２のＩ形舌片５に設けられた係止孔６より、光モジュール１のＴ形舌片７に設けられた係止ピン８が突出しており、光モジュール１はケージ２に係止されて拘束されている。
【０００９】
図１（Ｂ）に示す状態においては、光モジュール１の把手３を矢印５１の方向に回動し起立させると、把手３の回転軸９の周囲に形成された板カム１０が矢印５２の方向に回転し、弾性体であるＴ形舌片７が矢印５３の方向に押下される。その動作に追動して、弾性体であるケージ２のＩ形舌片５が下方に撓んだ結果、係止ピン８と係止孔６による係止が解除され、光モジュール１はケージ２による拘束が解けて抜脱可能な状態となる。
【００１０】
図１（Ｃ）に示す状態おいては、把手３を起立させたまま光モジュール１を矢印５４の方向に引き出せば、Ｔ形舌片７は押下されたままである一方、Ｉ形舌片５はＴ形舌片７と離れると、弾性力により矢印５５の方向に戻る。
【００１１】
図２に、前記把手３のカム動作を示す要部の側断面を示す。
【００１２】
図２（Ａ）に示すように、把手３が倒立した状態で光モジュール１をケージ２に挿入すると、逃げ孔１１から突出している係止ピン８が通過するときにＩ形舌片５が一旦下方向に付勢されて押下したあと、係止ピン８がハウジング１２の逃げ孔１１とケージ２の係止孔６に嵌合して自発的に消勢されて元に戻り、光モジュール１がケージ２に係止され挿着が完了する。
【００１３】
また、図２（Ｂ）に示すように、光モジュール１をケージ２から抜脱する際には、把手３を矢印５１の方向に操作して起立することにより、板カム１０の矢印５２の方向のカム動作によって、Ｔ形舌片７を矢印５３の方向に付勢する。その結果、ケージ２のＩ形舌片５が追動して矢印５６の方向に付勢され、Ｔ形舌片７とそれに追動するＩ形舌片５が下方向に付勢されて、係止ピン８が逃げ孔１１と係止孔６から解合する。光モジュール１をケージ２から引き出せば、逃げ孔１１が係止ピン８を通過するときにＩ形舌片５は自発的に消勢して元に戻る。
【００１４】
そのほか、ケージに対するケースの着脱方向と平行に前記ケースに移動可能に設けられたスライド部材と、前記ケースに設けられ前記スライド部材を移動自在に支持する支軸とを有し係止穴とロック部との係止状態を解除するためのロック解除手段を備え、前記スライド部材は、弾性変位可能に設けられて前記係止状態を解除する方向にばね板部を弾性変位させるための作動片と、該スライド部材の移動方向に沿って設けられ前記支軸が挿通される支軸受け穴とを有し、前記作動片には、前記ケースに対向する対向面に突起が設けられ、前記ケースには、前記突起が係合されることで前記作動片によって前記ばね板部を弾性変位させるための凸部が設けられている光モジュールが提案されている（特許文献２参照）
また、前端に開口部を有するパッケージと、前記パッケージの底面から出没させるための突起を先端に有する梃子と、前記梃子の後端を連結されるクランク部を有するクランク軸と、前記クランク軸に連結され前記クランク軸を回転軸として回動する第一のアームと、前記第一のアームの自由端に該第一のアームに向けて折り畳み自在に取り付けられた第二のアームと、前記第二のアームの自由端に設けられたレバーとを有するロック機構付きパッケージが提案されている（特許文献３参照）。
【００１５】
更に、レセプタクルケージから送受信機を取り外すための回転可能なアクチュエータを備えた差し込み可能な光送受信機が提案されている（特許文献４、特許文献５参照）。
【００１６】
また、モジュールがケージに留められた場合に、モジュール上のポストの近傍のポケットに位置する楔を備えた引っ張り分離機構が提案されている（特許文献６参照）。
【００１７】
更に、光電子送受信機モジュールのような差し込み可能な電子モジュールに用いられる統合したラッチ機構が提案されている（特許文献７参照）。
【００１８】
また、ハウジングと、ハウジングの第１側面に摺動自在に設けられた部材と、前記部材の内側端に位置する楔と、回転自在なレバーとを備えた差し込み可能な送受信機モジュールが提案されている（特許文献８参照）。
【００１９】
更に、差し込み可能なアプリケーションに使われ、ラッチ機構を有する光モジュールが提案されている（特許文献９参照）。
【００２０】
また、コネクタハウジング中に設けられた取り外し可能な挿入部品を備えたモジュラープラグコネクタ部品であって、前記挿入部品は１以上の電子部品を光学的に受容可能に設けられているコネクタ部品が提案されている。
【特許文献１】特開２００５−２４９８９２号公報
【特許文献２】特開２００５−１８９６８４号公報
【特許文献３】特開２００４−１２５８６０号公報
【特許文献４】米国特許出願公開第２００３／０１９８０２６号明細書
【特許文献５】米国特許出願公開第２００３／０１９８０２５号明細書
【特許文献６】米国特許出願公開第２００３／０１４２９１７号明細書
【特許文献７】米国特許第６４３９９１８号明細書
【特許文献８】米国特許第６４３００５３号明細書
【特許文献９】国際公開第２００５／０９３４８２号パンフレット
【特許文献１０】国際公開第０３／０９０３２２号パンフレット
【発明の開示】
【発明が解決しようとする課題】
【００２１】
このように、図１及び図２に示す例では、係止ピン８と係止孔６による係止は、主にＩ形舌片５が弾性力により保持されて為され、係止ピン８と係止孔６による係止の解除は、把手３が矢印５２の方向に回転されることに因り、弾性体であるＴ形舌片７が矢印５３の方向に押下され、その動作に追動して、弾性体であるＩ形舌片５が下方に撓むことにより為される。
【００２２】
従って、弾性体である光モジュール１のＴ形舌片７の経年劣化等に因り、係止ピン８と係止孔６による係止状態が不安定となるおそれがある。また、Ｔ形舌片７の下方への撓み（曲がり）の支点が一定しなくなり、係止ピン８と係止孔６による係止の解除を安定して行うことができなくなるおそれがある。
【００２３】
また、上述のように、ケージ２から光モジュール１を抜脱するために光モジュール１の把手３を矢印５１（図２（ｂ）及び図３参照）の方向に回動し起立させると、板カム１０が矢印５２の方向に回転し、弾性体であるＴ形舌片７が矢印５３の方向に押下される。その結果、Ｔ形舌片７と光モジュール１の下面との間に隙間Ｓ（図３参照）が形成され、当該隙間Ｓに、図３において白抜きの矢印で示すようにドライバー等の棒状部材を挿入してＴ形舌片７を操作することが可能となってしまう。
【００２４】
このような、外部からのＴ形舌片７へのアクセスを防止するために、光モジュール１の下部に前記隙間Ｓに対応した高さ（厚さ）を有する壁部を設けることが考えられるが、上述の規格（ＭＳＡ）では、光モジュール１の高さについて制限が定められており、光モジュール１の高さが前記規格（ＭＳＡ）で定められた高さ以上になってしまう壁部を設けることはできない。
【００２５】
そこで、本発明は、上記の点に鑑みてなされたものであって、把手の回動により光モジュールとケージとの係止を解除する構成において、光モジュールとケージとの係止及び係止解除を確実ならしめることができ、規格（ＭＳＡ）で定められた寸法の範囲内で外部から光モジュールの舌片へのアクセスを防止することができる機構を備えた光モジュールを提供することを本発明の目的とする。
【課題を解決するための手段】
【００２６】
本発明の一観点によれば、ケージに対して挿脱可能な光モジュールであって、前記ケージに前記光モジュールが挿入された状態で、前記ケージに設けられた係止孔に挿通されて前記ケージと前記光モジュールとを係止する係止ピンと、軸部を有し、前記軸部を中心に、前記係止ピンが前記係止孔から解止される方向に回動可能に設けられた舌片と、回転軸を中心に回動されることにより、連動して前記舌片を回動する把手と、を備え、前記把手が９０度回動されると、前記係止ピンと前記係止孔との挿通による前記ケージと前記光モジュールの係止が解除されることを特徴とする光モジュールが提供される。
【００２７】
前記舌片は、ピンを有し、前記把手は、当該光モジュールの側面に設けられ、前記把手の主面に形成された貫通孔内に、前記舌片の前記ピンが位置していてもよい。更に、前記把手が所定の角度回動されて、前記貫通孔の外周部分が前記舌片の前記ピンを押すと、前記舌片が前記軸部を中心に回動することとしてもよい。
【００２８】
また、当該光モジュールの下部には壁部が設けられ、前記把手は、当該光モジュールの２つの側面にそれぞれ設けられ、上部に於いて把手連結部材に互いに連結され、前記把手連結部材は、前記把手と一体的に回動され、前記ケージと前記光モジュールとが係止されている状態においては、前記壁部により、当該光モジュールの正面側からの前記舌片への接触が禁止され、前記把手が回動された状態においては、前記把手連結部材により、当該光モジュールの正面側からの前記舌片への接触が禁止されることとしてもよい。
【００２９】
また、前記舌片は、当該光モジュールの側面上に位置する把手取付部を有し、前記把手取付部には貫通孔が形成され、前記把手は、前記把手取付部上に設けられ、ピンを有し、前記舌片の前記把手取付部に形成された前記貫通孔内に、前記把手の前記ピンが位置することとしてもよい。
【発明の効果】
【００３０】
本発明によれば、把手の回動により光モジュールとケージとの係止を解除する構成において、光モジュールとケージとの係止及び係止解除を確実ならしめることができ、規格（ＭＳＡ）で定められた寸法の範囲内で外部から光モジュールの舌片へのアクセスを防止することができる機構を備えた光モジュールを提供することができる。
【発明を実施するための最良の形態】
【００３１】
以下、本発明の実施の形態について図面を参照して説明する。
【００３２】
［第１の実施の形態］
図４に、本発明の第１の実施の形態に係る光モジュールの斜視図を示す。図４では、説明の便宜に鑑み、当該光モジュールの底面側を、図４における上面側として図示している。
【００３３】
光モジュール３１は、デバイス類が実装されたプリント板６１と、長手方向の一端に設けられる光インターフェース部６２と、長手方向の他端に設けられる電気インターフェース部６３と、プリント板６１等を内装するハウジング６４等から成る。
【００３４】
プリント板６１には、光電変換回路を構成するデバイス類や電源回路が搭載される。
【００３５】
光インターフェース部６２には、図示を省略する光ファイバケーブルが挿抜される光ファイバ挿抜口が形成されたコネクタ嵌合部６５が設けられている。
【００３６】
詳細は後述するが、コネクタ嵌合部６５の両側それぞれに、把手３３が、最大回動角が略９０度で回動可能に設けられている。把手３３は、ハンドル部６６ａが延在形成された把手連結部材６６により連結されている。また、把手３３の主面には、詳細を後述する貫通孔６７が略曲線状に形成されている。
【００３７】
更に、コネクタ嵌合部６５の下部（光モジュール３１の底面側を、上面側として図示している図４では、上部）には、規格（ＭＳＡ）で定められた長さの範囲内で収まる高さを有する壁部６８が形成されている。
【００３８】
電気インターフェース部６３においては、プリント板６１の端部にプリントコンタクト６９が設けられており、光モジュール３１をケージ３２（図５参照）の中に挿着すると、ケージ３２が装着された図示しないマザーボード等に設けられたカードエッジコネクタとプリントコンタクト３５が嵌合する。
【００３９】
ハウジング６４は、光モジュール３１に実装されたプリント板６１又は光コネクタ等を電磁的に遮蔽又は機械的に保護する。ハウジング３４は、光モジュール３１の底面を除く３方向を覆う形で上から被覆する態様又は光モジュール３１の周囲を包む形で長手方向に嵌め込む態様で設けられる。
【００４０】
また、光モジュール３１の下部（光モジュール３１の底面側を、上面側として図示している図４では、上部）におけるハウジング６４と光インターフェース部６２との間には、ハウジング舌片７０が、外部に露出して設けられている。詳細は後述するが、ハウジング舌片７０の一方の端部側はハウジング６４に軸着され、他方の端部側は把手３３の貫通孔６７内を移動可能に設けられている。
【００４１】
図５に、図４に示す光モジュール３１がケージ３２内に設けた状態の斜視図を示す。より具体的には、図５（Ａ）に、把手３３が収容され、ケージ３２と光モジュール３１が係止されている状態を示し、図５（Ｂ）に、把手３３が回動され、ケージ３２と光モジュール３１の係止が解除された状態を示す。なお、図５においても、説明の便宜に鑑み、光モジュール３１及びケージ３２の底面側を、図５における上面側として図示している。
【００４２】
図５（Ａ）において、ケージ３２は仰角方向に変位可能なケージ舌片８０を有し、ケージ舌片８０には係止孔８１が形成されている。また、上述の光モジュール３１は係止ピン３８を有する。係止ピン３８が、ハウジング舌片７０に形成された逃げ孔７１（図６（ｂ）参照）及びケージ３２の係止孔８１を挿通することにより、光モジュール３１とケージ３２は係止される。
【００４３】
図５（Ｂ）に示すように、図５（Ａ）にしめす状態から把手３３を９０度回動させると、当該回動動作に連動して、一方の端部側はハウジング６４に軸着され、他方の端部側が把手３３の貫通孔６７内を移動可能に設けられているハウジング舌片７０が回動し、その結果、ケージ舌片８０が追動して仰角方向に付勢される。これにより、係止ピン３８がハウジング舌片７０に形成された逃げ孔７１（図６（ｂ）参照）及びケージ３２の係止孔８１から解止され、光モジュール３１をケージ３２から引き出して抜き取ることができるようになる。
【００４４】
なお、把手３３の回動は、コネクタ嵌合部６５の下部（光モジュール３１の底面側を、上面側として図示している図４及び図５では、上部）に設けられた壁部６８の側面から光モジュール３１の短手方向に延在形成された回動停止部６８ａにより、更に進行しないよう規制される。
【００４５】
次に、上述の把手３３及びハウジング舌片７０の構造について説明する。
【００４６】
図６は、把手３３及びハウジング舌片７０の構造を説明するための図であり、図６（Ａ）は、光モジュール３１の光インターフェース部６２側及びハウジング６４の部分側面図であり、図６（Ｂ）は、光モジュール３１の光インターフェース部６２側及びハウジング６４の部分底面図である。
【００４７】
図６を参照するに、把手３３は、光インターフェース部６２のコネクタ嵌合部６５の両側面に設けられ、上部において把手連結部材６６により連結されている。
【００４８】
把手３３は、回転軸８２を中心に、最大９０度の回動角度で、矢印１０１（図６（Ａ）参照）で示す方向及びその逆方向に回動可能にコネクタ嵌合部６５の両側面に設けられている。更に、把手３３の主面には、詳細を後述する形状を有する貫通孔６７が形成されている。
【００４９】
次に、図６に加えて図７も参照して、ハウジング舌片７０の構造について説明する。
【００５０】
ハウジング舌片７０は、平面視略矩形状の外形形状を有する係止部７０−１と、当該係止部７０−１からコネクタ嵌合部６５の壁部６８側に延在形成された把手取付部７０−２とから大略構成される。係止部７０−１と把手取付部７０−２とは一体形成されているが、把手取付部７０−２は係止部７０−１に対し、所定の角度折曲されて、係止部７０−１から延在形成されている。
【００５１】
係止部７０−１の短手方向略中央部分には逃げ孔７１が形成されており、当該逃げ孔７１及びケージ３２の係止孔８１（図５参照）を係止ピン３８が挿脱することにより、光モジュール３１とケージ３２が係止・係止解除が為される。
【００５２】
係止部７０−１において、把手取付部７０−２が配設されている箇所と反対側の外周部分には、軸部７３が設けられている。図６（Ｂ）において点線で示すように、軸部７３の両端は、ハウジング６４内に位置している。
【００５３】
一方、係止部７０−１からコネクタ嵌合部６５の壁部６８側に延在形成された把手取付部７０−２は、係止部７０−１から遠ざかれば遠ざかるほど幅が広くなる形状を有している。
【００５４】
把手取付部７０−２の壁部６８側の端部には、断面が略円形の棒部材である把手取付ピン７４が把手取付部７０−２と一体形成されている。把手取付ピン７４は、コネクタ嵌合部６５の幅よりも僅かに長く設定されており、把手３３の貫通孔６７に挿入されている。
【００５５】
このような構造を有するハウジング舌片７０において、図６（Ａ）に示す状態、即ち、ケージ３２と光モジュール３１が係止されている状態では、係止部７０−１は、ケージ舌片８０（水平面）と略平行な状態にある。
【００５６】
図８に示すように、かかる状態から、把手取付部７０−２の壁部６８側の端部に設けられた把手取付ピン７４が下方に移動すると、ハウジング舌片７０全体が、係止部７０−１の軸部７３を中心に、矢印１０１で示すに方向回動移動する。
【００５７】
ここで、図８（Ａ）は、ハウジング舌片７０の側面図であり、図８（Ｂ）は、ハウジング舌片７０の斜視図である。図８において、「ａ」は図６（Ａ）に示す状態、即ち、ケージ３２と光モジュール３１が係止されている状態におけるハウジング舌片７０を示し、「ｂ」は「ａ」の状態から把手取付ピン７４が貫通孔６７に挿入された把手３３を矢印１０１で示す方向に４５度回動させた状態におけるハウジング舌片７０を示し、「ｃ」は「ａ」の状態から把手取付ピン７４が貫通孔６７に挿入された把手３３を矢印１０１で示す方向に９０度回動させた状態におけるハウジング舌片７０を示す。
【００５８】
ところで、上述したように、把手取付部７０−２は係止部７０−１に対し、所定の角度折曲して、係止部７０−１から延在形成されている。
【００５９】
これは、ケージ３２と光モジュール３１との係止を確実ならしめるために、係止部７０−１にあっては、ケージ３２と光モジュール３１とを係止する際にはケージ舌片８０（水平面）と略平行にする必要があるのに対し、把手取付部７０−２も係止部７０−１と同一面上に設けてしまうと、把手取付部７０−２は把手３３の回転軸８２（図６参照）に当接してしまい、把手３３の回転動作を確保することができない。
【００６０】
そこで、把手取付部７０−２は係止部７０−１に対し、所定の角度折曲して、係止部７０−１から延在形成することにより、把手３３の回転軸８２とのクリアランスを確保している。
【００６１】
また、上述したように、把手取付部７０−２は、係止部７０−１から遠ざかれば遠ざかるほど幅が広くなる形状を有している。
【００６２】
これは、把手取付ピン７４とコネクタ嵌合部６５の両側面に設けられた把手３３の貫通孔６７とを介して、ハウジング舌片７０と把手３３との接合を確保しつつ、逃げ孔７１が短手方向略中央部分に形成されている係止部７０−１部に、把手３３の回動動作に因る把手取付部７０−２の回動を効率よく伝達するためである。
【００６３】
仮に、把手取付部７０−２が係止部７０−１のような略矩形形状を有していると、把手取付ピン７４を移動するに必要な力（作用する力）が、係止部７０−１と把手取付部７０−２とが接続している箇所（図７において点線Ａで囲んだ箇所）に過大に作用してしまう。一方、把手取付部７０−２を、係止部７０−１から遠ざかれば遠ざかるほど幅が広くなる形状にすることによりかかる力を低減させることができる。
【００６４】
このような構造の下、図６に示す状態から矢印１０１で示す方向に把手３３を回動させ、回動角度が所定の角度に達すると、把手取付ピン７４が把手３３の貫通孔６７の外周部分によって押される。すると、軸部７３によってハウジング６４に軸着されているハウジング舌片７０は、把手３３の回動動作に連動して軸部７３を中心に回動する。
【００６５】
図６に示す状態から矢印１０１で示す方向に把手３３を９０度回動させると、ハウジング舌片７０の係止部７０−１に形成された逃げ孔７１及びケージ３２の係止孔８１（図５参照）から係止ピン３８が脱した状態が形成され、光モジュール３１とケージ３２の係止が解除される。
【００６６】
以下では、把手３３の回動動作と、これに連動するハウジング舌片７０の移動について説明すると共に、これを実現するための把手３３の貫通孔６７の形状について説明する。
【００６７】
図９及び図１０に把手３３が収容され、光モジュール３１とケージ３２が係止されている状態を示す。
【００６８】
図９（Ａ）は当該状態における光モジュール３１の斜視図を示し、図９（Ｂ）は当該状態における光モジュール３１の側面図を示し、図１０（Ｃ）は当該状態における光モジュール３１の底面図を示し、図１０（Ｄ）は当該状態における光モジュール３１とケージ３２の底面図を示す。
【００６９】
図９及び図１０に示す状態においては、光モジュール３１の係止ピン３８が、ハウジング舌片７０に形成された逃げ孔７１及びケージ舌片８０の係止孔８１を挿通し、光モジュール３１とケージ３２が係止状態となっている。
【００７０】
この状態においては、ハウジング舌片７０の把手取付部７０−２に一定形成された把手取付ピン７４は、把手３３の主面に略曲線状に形成された貫通孔６７の端部のうち、把手３３の回転軸８２により近く位置する端部（第１の端部）６７ａに当接しており、当該端部６７ａにより、図９（Ｂ）の左手方向に力を受けている。
【００７１】
また、この状態では、ハウジング舌片７０の把手取付ピン７４は、高さ方向において、光モジュール３１のコネクタ嵌合部６５の下部に設けられた壁部６８が設けられている箇所内に位置しており、当該壁部６８により、図３において白抜きの矢印で示す外部からハウジング舌片７０へのアクセスは防止される。
【００７２】
次に、図９及び図１０に示す状態から、把手３３を、矢印１０１（図９（Ｂ）参照）で示す方向に４５度回動させた状態を図１１及び図１２に示す。
【００７３】
図１１（Ａ）は当該状態における光モジュール３１の斜視図を示し、図１１（Ｂ）は当該状態における光モジュール３１の側面図を示し、図１２（Ｃ）は当該状態における光モジュール３１の底面図を示し、図１２（Ｄ）は当該状態における光モジュール３１とケージ３２の底面図を示す。
【００７４】
この状態においては、ハウジング舌片７０の把手取付ピン７４は、貫通孔６７の端部６７ａから離間しているが、高さ方向においては、依然として光モジュール３１のコネクタ嵌合部６５の下部に設けられた壁部６８が設けられている箇所内に位置している。よって、当該壁部６８により、図３において白抜きの矢印で示す外部からのハウジング舌片７０へのアクセスは防止される。
【００７５】
次に、図１１及び図１２に示す状態から、把手３３を、矢印１０１（図１１（Ｂ）参照）で示す方向に約２５度、即ち、図９及び図１０に示す状態から、把手３３を、矢印１０１（図９（Ｂ）参照）で示す方向に例えば約７０度回動させた状態を図１３に示す。
【００７６】
図１３（Ａ）は、当該状態における光モジュール３１の斜視図を示し、図１３（Ｂ）は当該状態における光モジュール３１の側面図を示し、図１３（Ｃ）は当該状態における光モジュール３１の正面図を示す。なお、図１３（Ａ）においては、説明の便宜に鑑み、光モジュール３１の底面側を、図１３（Ａ）における上面側として図示している。
【００７７】
図１１及び図１２に示す状態から、把手３３を、矢印１０１（図１１（Ｂ）参照）で示す方向に、例えば、図９及び図１０に示す状態から約６０度回動させると、ハウジング舌片７０の把手取付ピン７４は、貫通孔６７の外周部分と当接し当該外周部分に押され始めて、把手取付ピン７４は、把手３３の回動に連動して移動し始める。
【００７８】
そして、図１３（Ｂ）及び図１３（Ｃ）に示すように、図９及び図１０に示す状態から、把手３３を、矢印１０１（図９（Ｂ）参照）で示す方向に例えば約７０度回動させた時点で、ハウジング舌片７０の把手取付ピン７４は、壁部６８の下面から見え始める。
【００７９】
光モジュール３１とケージ３２との係止解除を確実ならしめるためには、係止部７０−１の逃げ孔７１及びケージ３２の係止孔８１（図５参照）から係止ピン３８が脱することが必要で、それゆえ、ハウジング舌片７０の把手取付ピン７４が下方に移動することが必要である一方、図３において白抜きの矢印で示す外部からハウジング舌片７０へのアクセスを防止する必要もある。
【００８０】
上述のように、規格（ＭＳＡ）により、壁部６８の高さには制限があり、壁部６８の高さを所定の長さより長くすることはできないため、図１３に示す状態では、外部からハウジング舌片７０へのアクセスを、壁部６８により防止することはできない。しかしながら、把手３３を図９及び図１０に示す状態から矢印１０１（図９（Ｂ）参照）で示す方向に例えば約７０度回動させた時点では、図１３（Ｃ）で示すように、光モジュール３１を正面から見たときに、把手３３同士を連結する把手連結部材６６（図１３に示す例では、把手連結部材６６のハンドル部６６ａ）の端部がハウジング舌片７０の把手取付ピン７４と略重なるように位置している。従って、当該把手連結部材６６（図１３に示す例では、把手連結部材６６のハンドル部６６ａ）により、図３において白抜きの矢印で示す外部からのハウジング舌片７０へのアクセスは防止される。
【００８１】
次に、図１３に示す状態から、把手３３を、矢印１０１（図１１（Ｂ）参照）で示す方向に約２０度、即ち、図９及び図１０に示す状態から、把手３３を、矢印１０１（図９（Ｂ）参照）で示す方向に９０度回動させるときの、把手３３及びハウジング舌片７０の状態を図１４及び図１５に示す。
【００８２】
図１４（Ａ）は、光モジュール３１の斜視図を示し、図１４（Ｂ）は光モジュール３１の側面図を示す。図１５（Ｃ）は、ハウジング舌片７０の係止部７０−１側から見たときの光モジュール３１の斜視図を示し、図１５（Ｄ）は、正面側から見たときの光モジュール３１の斜視図を示す。
【００８３】
なお、図１５においては、説明の便宜に鑑み、光モジュール３１の底面側を、図１５における上面側として図示している。また、図１４及び図１５においては、参考のため、図９及び図１０に示す状態における把手３３及びハウジング舌片７０も示している。
【００８４】
図１３に示す状態から、把手３３を、矢印１０１（図１４（Ｂ）参照）で示す方向に回動させると、ハウジング舌片７０の把手取付ピン７４は、貫通孔６７の外周部分に更に押されて移動する。即ち、ハウジング舌片７０は、把手３３の回動に連動して、軸部７３を中心に更に回動する。
【００８５】
その結果、ハウジング舌片７０の係止部７０−１は、ケージ３２のケージ舌片８０を押し出すように移動し、係止ピン３８の、ハウジング舌片７０の逃げ孔７１及びケージ舌片８０の係止孔８１における挿通状態が浅くなる。
【００８６】
このようにして、把手３３を、図９及び図１０に示す状態から、把手３３を、矢印１０１（図１４（Ｂ）参照）で示す方向に９０度回動させると、これに連動してハウジング舌片７０も回動し、その結果、ケージ舌片８０が追動して付勢される。これにより、係止ピン３８が、ハウジング舌片７０の逃げ孔７１及びケージ３２の係止孔８１から解止され、光モジュール３１をケージ３２から引き出して抜き取ることができるようになる。
【００８７】
そして、図１４及び図１５に示すように、把手３３を、図１３に示す状態から矢印１０１（図１４（Ｂ）参照）で示す方向に回動させる段階では、ハウジング舌片７０の把手取付ピン７４は、壁部６８の下面から見えている。しかしながら、光モジュール３１を正面から見たときに、把手連結部材６６がハウジング舌片７０の把手取付ピン７４と略重なるように位置しているため、当該把手連結部材６６により、図３において白抜きの矢印で示す外部からのハウジング舌片７０へのアクセスは防止される。
【００８８】
図９及び図１０に示す状態から、把手３３を、矢印１０１（図９（Ｂ）参照）で示す方向に９０度回動させた状態を図１６及び図１７に示す。
【００８９】
図１６（Ａ）は当該状態における光モジュール３１の斜視図を示し、図１６（Ｂ）は当該状態における光モジュール３１の側面図を示し、図１７（Ｃ）は当該状態における光モジュール３１の底面図を示し、図１７（Ｄ）は当該状態における光モジュール３１とケージ３２の底面図を示す。
【００９０】
この状態においては、ハウジング舌片７０の把手取付ピン７４は、把手３３の主面に略曲線状に形成された貫通孔６７の端部のうち、端部６７ａと反対側の端部（第２の端部）６７ｂに当接しており、壁部６８の回動停止部６８ａと相俟って、当該当接により把手３３の回動が更に進行することが規制され、ハウジング舌片７０の把手取付ピン７４が、この位置から更に下方に位置することは制限される。
【００９１】
図１６及び図１７に示す状態では、係止ピン３８が、ハウジング舌片７０の逃げ孔７１及びケージ３２の係止孔８１から外れた解止状態となり、ケージ３２と光モジュール３１の係止が解除され、光モジュール３１をケージ３２から引き出すことができるようになる。
【００９２】
図１８に、把手３３の回動を連続的に示す。図１８（Ａ）は、光モジュール３１を正面側から見たときの斜視図であり、図１８（Ｂ）は、ハウジング舌片７０の係止部７０−１側から見たときの光モジュール３１の斜視図を示す。
【００９３】
図１８に示すように、ケージ３２と光モジュール３１とが係止されている状態から、把手３３を回転軸３２を中心として回動すると、当該把手３３の回動と連動して、把手３３の貫通孔６７の外周部分が、当該貫通孔６７内に設けられたハウジング舌片７０の把手取付ピン７４に接して、把手取付ピン７４を押し下げ、これにより、軸部７３によってハウジング６４に軸着されたハウジング舌片７０は回動し、その結果、ケージ３２のケージ舌片８０が付勢される。これにより、係止ピン３８がハウジング舌片７０に形成された逃げ孔７１及びケージ３２の係止孔８１から解止される。
【００９４】
上述の機構を実現するために、把手３３の貫通孔６７の形状は、
（１）  光モジュール３１とケージ３２が係止されている状態（図９及び図１０に示す状態）に於ける、ハウジング舌片７０の把手取付ピン７４と当接する貫通孔６７の端部６７ａ（図９（ｂ参照））の位置、及び把手３３の回転軸８２とハウジング舌片７０の把手取付ピン７４との間の長さ、
（２）  係止ピン３８が、ハウジング舌片７０の逃げ孔７１及びケージ３２の係止孔８１から外れた解止状態（図１６及び図１７に示す状態）に於ける、ハウジング舌片７０の把手取付ピン７４と当接する貫通孔６７の端部６７ｂ（図１６（ｂ）参照）の位置、水平面に対するハウジング舌片７０の係止部７０−１の回動角度、及び把手３３の回転軸８２とハウジング舌片７０の把手取付ピン７４との間の長さ、
（３）  ハウジング舌片７０の軸部７３と把手取付ピン７４との間の長さ等、に基づいて定められる。
【００９５】
かかる形状により、上述したように、光モジュール３１とケージ３２が係止されている状態（図９及び図１０参照）においては、把手取付ピン７４は、把手３３の主面に略曲線状に形成された貫通孔６７の端部６７ａに当接している。この状態では、把手取付ピン７４は、高さ方向において、壁部６８が設けられている箇所内に位置しており、当該壁部６８により、図３において白抜きの矢印で示す外部からハウジング舌片７０へのアクセスは防止される。
【００９６】
把手３３を、矢印１０１（図９（Ｂ）参照）で示す方向に回動させると、ハウジング舌片７０の把手取付ピン７４は、貫通孔６７の外周部分と当接し当該外周部分に押され始め、把手取付ピン７４は、把手３３の回動に連動して移動し始める。そして、把手取付ピン７４が壁部６８の下面から見え始めるが、把手連結部材６６により、図３において白抜きの矢印で示す外部からのハウジング舌片７０へのアクセスは防止される。
【００９７】
以後、図９及び図１０に示す状態から、把手３３を、矢印１０１（図９（Ｂ）参照）で示す方向に９０度回動させて、係止ピン３８が、ハウジング舌片７０の逃げ孔７１及びケージ３２の係止孔８１から外れた解止状態となる迄、把手連結部材６６により、図３において白抜きの矢印で示す外部からのハウジング舌片７０へのアクセスは防止される。
【００９８】
このように、本発明の第１の実施の形態に係る光モジュール３１によれば、ハウジング舌片７０は、図１乃至図３に示すＴ形舌片７と異なり、弾性体から構成されず、軸部７３によってハウジング６４に軸着された構造を有する。従って、経年劣化することなく、係止ピン３８とハウジング舌片７０に形成された逃げ孔７１及びケージ３２の係止孔８１による安定した係止状態を確保することができる。
【００９９】
更に、ハウジング舌片７０は、把手３３の回動に連動して軸部７３を中心に回動するため、ハウジング舌片７０の動作の支点が一定となり、係止ピン３８とハウジング舌片７０に形成された逃げ孔７１及びケージ３２の係止孔８１による係止の解除を安定して行うことができる。
【０１００】
また、光モジュール３１とケージ３２が係止されている状態（図９及び図１０参照）においては、壁部６８により、また、把手３３を矢印１０１（図９（Ｂ）参照）で示す方向に回動させると、把手連結部材６６により、図３において白抜きの矢印で示す外部からのハウジング舌片７０へのアクセスは防止される。
【０１０１】
よって、壁部３８の高さを大きくすることなく、光モジュール３１の外形寸法を規格（ＭＳＡ）で定められた寸法の範囲内としたままで、外部から光モジュール３１のハウジング舌片７０へのアクセスを防止することができる。
【０１０２】
［第２の実施の形態］
上述の本発明の第１の実施の形態では、コネクタ嵌合部６５の両側それぞれに設けられた把手３３に貫通孔６７が形成されており、把手３３の回動によりハウジング舌片７０に形成された把手取付ピン７４と当該貫通孔６７の外周部分とが当接することにより、把手３３の回動動作に連動してハウジング舌片７０も回動する。
【０１０３】
しかしながら、本発明はかかる構造に限定されず、ハウジング舌片に貫通孔が形成され、把手の回動により、把手に形成された舌片取付ピンと当該当該貫通孔の外周部分とが当接することにより、把手の回動動作に連動してハウジング舌片も回動する構造であってもよい。これについて、本発明の第２の実施の形態として説明する。
【０１０４】
図１９に、本発明の第２の実施の形態にかかる光モジュール１３１を示す。図１９（Ａ）は光モジュール１３１の部分斜視図であり、図１９（Ｂ）は光モジュール１３１の部分側面図である。なお、図１９において、本発明の第１の実施の形態に係る光モジュール３１の構成部分と同一の構成部分については、同一の符合を付してその説明を省略する。
【０１０５】
図１９を参照するに、本発明の第２の実施の形態にかかる光モジュール１３１においては、把手１３３は、光インターフェース部６２のコネクタ嵌合部６５の両側面に、ハウジング舌片１７０の把手取付部１７０−３を介して設けられ、上部において把手連結部材６６により連結されている。
【０１０６】
把手１３３は、回転軸８２を中心に、最大９０度の回動角度で、矢印１０１で示す方向及びその逆方向に回動可能にコネクタ嵌合部６５の両側面に設けられている。
【０１０７】
更に、把手１３３の、ハウジング舌片１７０の把手取付部１７０−３に対向する面であって、当該把手取付部１７０−３の貫通孔１６７の端部（第１の端部）１６７ａ（図１９（Ｂ）参照）の形成位置に対応する位置には、棒部材である舌片取付ピン１７４が光モジュール１３１の短手方向に延在形成されている。
【０１０８】
より具体的には、舌片取付ピン１７４は、把手１３３の、ハウジング舌片１７０の把手取付部１７０−３に対向する面から、ハウジング舌片１７０の把手取付部１７０−３の貫通孔１６７の貫通長さと略同一の長さ延在している。
【０１０９】
次に、図１９に加えて図２０も参照して、ハウジング舌片１７０の構造について説明する。図２０は、図１９に示す光モジュール１３１に設けられたハウジング舌片１７０の斜視図である。
【０１１０】
ハウジング舌片１７０は、平面視略矩形状の外形形状を有する係止部１７０−１と、当該係止部１７０−１からコネクタ嵌合部６５の壁部６８側に延在形成されたコネクタ嵌合部接触部１７０−２と、光モジュール１３１の長手方向に位置するコネクタ嵌合部接触部１７０−２の外周部分から鉛直方向に延在形成された把手取付部１７０−３とから大略構成される。
【０１１１】
コネクタ嵌合部接触部１７０−２は、コネクタ嵌合部６５の底面と接触する。また、把手取付部１７０−３は、図１９に示すようにコネクタ嵌合部６５の両側面に設けられている。
【０１１２】
係止部１７０−１と、コネクタ嵌合部接触部１７０−２と、把手取付部１７０−３とは一体形成されているが、コネクタ嵌合部接触部１７０−２は係止部１７０−１に対し、所定の角度折曲されて、係止部１７０−１から延在形成されている。
【０１１３】
係止部１７０−１の短手方向略中央部分には逃げ孔１７１が形成されており、当該逃げ孔１７１及びケージ３２の係止孔８１を係止ピン３８が挿脱することにより、光モジュール１３１とケージ３２が係止・係止解除が為される。
【０１１４】
係止部１７０−１において、コネクタ嵌合部接触部１７０−２が配設されている箇所と反対側の外周部分には、軸部７３が設けられている。
【０１１５】
把手取付部１７０−３の主面には、詳細を後述する形状を有する貫通孔１６７が形成されている。
【０１１６】
上述のように貫通孔１６７の端部１６７ａ（図１９（Ｂ）参照）の形成位置に対応する位置には、貫通孔１６７の貫通長さと略同一の長さを有する舌片取付ピン１７４が光モジュール１３１の短手方向に延在形成され、把手１３３の貫通孔１６７に挿入されている。
【０１１７】
このような構造を有するハウジング舌片１７０においては、把手１３３を図１９（Ｂ）において矢印１０１で示す方向に回動して、把手１３３の舌片取付ピン１７４が下方に移動し、当該舌片取付ピン１７４が、ハウジング舌片１７０の把手取付部１７０−３に形成された貫通孔１６７の両端のうち端部１６７ａと反対側に位置する端部（第２の端部）１６７ｂ（図１９（Ｂ）参照）に当接すると、ハウジング舌片１７０全体が、係止部１７０−１の軸部７３を中心に、矢印１０１で示すに方向に回動移動する。
【０１１８】
この構造について、図２１乃至図２６を参照して説明する。
【０１１９】
図２１及び図２２に把手３３が収容され、光モジュール１３１とケージ３２が係止されている状態を示す。
【０１２０】
図２１（Ａ）は当該状態における光モジュール１３１の斜視図を示し、図２１（Ｂ）は当該状態における光モジュール１３１の側面図を示し、図２２（Ｃ）は当該状態における光モジュール１３１の底面図を示し、図２２（Ｄ）は当該状態における光モジュール１３１とケージ３２の底面図を示す。
【０１２１】
図２１及び図２２に示す状態においては、光モジュール１３１の係止ピン３８が、ハウジング舌片１７０に形成された逃げ孔１７１及びケージ舌片８０の係止孔８１を挿通し、光モジュール１３１とケージ３２が係止状態となっている。
【０１２２】
この状態においては、把手１３３の舌片取付ピン１７４は、ハウジング舌片１７０の把手取付部１７０−３に略曲線状に形成された貫通孔１６７の端部１６７ａに当接している。また、ハウジング舌片１７０のコネクタ嵌合部接触部１７０−２は、高さ方向において、壁部６８が設けられている箇所内に位置している。よって、当該壁部６８により、図３において白抜きの矢印で示す外部からのハウジング舌片１７０へのアクセスは防止される。
【０１２３】
次に、図２１及び図２２に示す状態から、把手１３３を、矢印１０１（図１９（Ｂ）参照）で示す方向に４５度回動させた状態を図２３及び図２４に示す。
【０１２４】
図２３（Ａ）は当該状態における光モジュール１３１の斜視図を示し、図２３（Ｂ）は当該状態における光モジュール１３１の側面図を示し、図２４（Ｃ）は当該状態における光モジュール１３１の底面図を示し、図２４（Ｄ）は当該状態における光モジュール１３１とケージ３２の底面図を示す。
【０１２５】
この状態においては、把手１３３の舌片取付ピン１７４は、貫通孔１６７の端部１６７ａから離間しているが、ハウジング舌片１７０のコネクタ嵌合部接触部１７０−２は、高さ方向において、壁部６８が設けられている箇所内に位置している。よって、当該壁部６８により、図３において白抜きの矢印で示す外部からのハウジング舌片１７０へのアクセスは防止される。
【０１２６】
この状態から、把手１３３を、矢印１０１（図２３（Ｂ）参照）で示す方向に更に回動し、例えば、図２１及び図２２に示す状態から約６０度回動させると、把手１３３の舌片取付ピン１７４は、貫通孔１６７の端部１６７ｂに当接する。そして、貫通孔１６７の端部１６７ｂは、把手１３３の舌片取付ピン１７４に押され始めて、把手１３３の回動に連動して移動し始める。
【０１２７】
把手１３３を、矢印１０１（図２３（Ｂ）参照）で示す方向に更に回動させると、ハウジング舌片１７０のコネクタ嵌合部接触部１７０−２の、壁部６８側の箇所が、壁部６８の下面から見え始める。
【０１２８】
光モジュール１３１とケージ３２との係止解除を確実ならしめるためには、係止部１７０−１の逃げ孔１７１及びケージ３２の係止孔８１から係止ピン３８が脱することが必要で、それゆえ、ハウジング舌片１７０のコネクタ嵌合部接触部１７０−２が下方に移動することが必要である一方、図３において白抜きの矢印で示す外部からハウジング舌片１７０へのアクセスを防止する必要もある。
【０１２９】
上述のように、規格（ＭＳＡ）により、壁部６８の高さには制限があり、壁部６８の高さを所定の長さより長くすることはできないため、この状態においては、外部からハウジング舌片１７０へのアクセスを、壁部６８により防止することはできない。しかしながら、光モジュール１３１を正面から見たときに、把手１３３同士を連結する把手連結部材６６がハウジング舌片１７０のコネクタ嵌合部接触部１７０−２と略重なるように位置する。従って、当該把手連結部材６６により、図３において白抜きの矢印で示す外部からのハウジング舌片１７０へのアクセスは防止される。
【０１３０】
このようにして、把手１３３を、図２１及び図２２に示す状態から、矢印１０１（図２３（Ｂ）参照）で示す方向に９０度回動させると、これに連動してハウジング舌片１７０も回動し、その結果、ケージ舌片８０が追動して付勢される。これにより、係止ピン３８が、ハウジング舌片１７０の逃げ孔１７１及びケージ３２の係止孔８１から解止され、光モジュール１３１をケージ３２から引き出して抜き取ることができるようになる。
【０１３１】
上述の機構を実現するために、ハウジング舌片１７０の把手取付部１７０−３に形成された貫通孔１６７の形状は、
（１）  光モジュール１３１とケージ３２が係止されている状態（図２１及び図２２に示す状態）に於ける、把手１３３の舌片取付ピン１７４と当接する貫通孔１６７の端部１６７ａ（図１９（Ｂ）参照））の位置、及びハウジング舌片１７０の軸部７３と把手１３３の舌片取付ピン１７４との間の長さ
（２）  係止ピン１３８が、ハウジング舌片１７０の逃げ孔１７１及びケージ３２の係止孔８１から外れた解止状態（図２５及び図２６に示す状態）に於ける、把手１３３の舌片取付ピン１７４と当接する貫通孔１６７の端部１６７ｂ（図１９（Ｂ）参照）の位置、水平面に対するハウジング舌片１７０の係止部１７０−１の回動角度、及びハウジング舌片１７０の軸部７３と把手１３３の舌片取付ピン１７４との間の長さ
（３）  把手１３３の回転軸８２と舌片取付ピン１７４との間の長さ等、に基づいて定められる。
【０１３２】
かかる形状により、上述したように、光モジュール１３１とケージ３２が係止されている状態（図２１及び図２２参照）においては、舌片取付ピン１７４は、把手取付部１７０−３の主面に略曲線状に形成された貫通孔１６７の端部１６７ａに当接している。この状態では、ハウジング舌片１７０のコネクタ嵌合部接触部１７０−２は、高さ方向において、壁部６８が設けられている箇所内に位置しており、当該壁部６８により、図３において白抜きの矢印で示す外部からハウジング舌片１７０へのアクセスは防止される。
【０１３３】
把手１３３を、矢印１０１（図２１（Ｂ）参照）で示す方向に回動すると、把手１３３の舌片取付ピン１７４は、貫通孔１６７の端部１６７ｂに当接し、貫通孔１６７の端部１６７ｂは、把手１３３の舌片取付ピン１７４に押され始め、把手１３３の回動に連動して移動し始める。そして、把手１３３を、矢印１０１（図２１（Ｂ）参照）で示す方向に更に回動させると、ハウジング舌片１７０のコネクタ嵌合部接触部１７０−２の、壁部６８側の箇所が、壁部６８の下面から見え始めるが、把手連結部材６６により、図３において白抜きの矢印で示す外部からのハウジング舌片１７０へのアクセスは防止される。
【０１３４】
以後、図２１及び図２２に示す状態から、把手１３３を、矢印１０１（図２１（Ｂ）参照）で示す方向に９０度回動させて、係止ピン３８が、ハウジング舌片１７０の逃げ孔１７１及びケージ３２の係止孔８１から外れた解止状態となる迄、把手連結部材６６により、図３において白抜きの矢印で示す外部からのハウジング舌片１７０へのアクセスは防止される。
【０１３５】
このように、本発明の第２の実施の形態に係る光モジュール１３１によれば、ハウジング舌片１７０は、図１乃至図３に示すＴ形舌片７と異なり、弾性体から構成されず、軸部１７３によってハウジング６４に軸着された構造を有する。従って、経年劣化することなく、係止ピン３８とハウジング舌片１７０に形成された逃げ孔１７１及びケージ３２の係止孔８１による安定した係止状態を確保することができる。
【０１３６】
更に、ハウジング舌片１７０は、把手１３３の回動に連動して軸部１７３を中心に回動するため、ハウジング舌片１７０の動作の支点が一定となり、係止ピン３８とハウジング舌片１７０に形成された逃げ孔１７１及びケージ３２の係止孔８１による係止の解除を安定して行うことができる。
【０１３７】
また、光モジュール１３１とケージ３２が係止されている状態（図２１及び図２２参照）においては、壁部６８により、また、把手１３３を矢印１０１（図２１（Ｂ）参照）で示す方向に回動させると、把手連結部材６６により、図３において白抜きの矢印で示す外部からのハウジング舌片１７０へのアクセスは防止される。
【０１３８】
よって、壁部３８の高さを大きくすることなく、光モジュール１３１の外形寸法を規格（ＭＳＡ）で定められた寸法の範囲内としたままで、外部から光モジュール１３１のハウジング舌片７０へのアクセスを防止することができる。
【０１３９】
以上、本発明の実施の形態について詳述したが、本発明は特定の実施形態に限定されるものではなく、特許請求の範囲に記載された本発明の要旨の範囲内において、種々の変形及び変更が可能である。
【０１４０】
以上の説明に関し、更に以下の項を開示する。
（付記１）
ケージに対して挿脱可能な光モジュールであって、
前記ケージに前記光モジュールが挿入された状態で、前記ケージに設けられた係止孔に挿通されて前記ケージと前記光モジュールとを係止する係止ピンと、
軸部を有し、前記軸部を中心に、前記係止ピンが前記係止孔から解止される方向に回動可能に設けられた舌片と、
回転軸を中心に回動されることにより、連動して前記舌片を回動する把手と、を備え、
前記把手が９０度回動されると、前記係止ピンと前記係止孔との挿通による前記ケージと前記光モジュールの係止が解除されることを特徴とする光モジュール。
（付記２）
付記１記載の光モジュールであって、
前記舌片は、棒部材を有し、
前記把手は、当該光モジュールの側面に設けられ、
前記把手の主面に形成された貫通孔内に、前記舌片の前記棒部材が位置することを特徴とする光モジュール。
（付記３）
付記２記載の光モジュールであって、
前記把手が所定の角度回動されて、前記貫通孔の外周部分が前記舌片の前記棒部材を押すと、前記舌片が前記軸部を中心に回動することを特徴とする光モジュール。
（付記４）
付記２又は３いずれか一項記載の光モジュールであって、
前記舌片は、係止部と、前記係止部から所定の角度折曲されて延在形成された把手取付部と、を備え、
前記係止部において、前記把手取付部が配設されている箇所と反対側の外周部分に前記軸部が設けられ、
前記把手取付部において、前記係止部が配設されている箇所と反対側に前記棒部材が設けられていることを特徴とする光モジュール。
（付記５）
付記２乃至４いずれか一項記載の光モジュールであって、
前記ケージと前記光モジュールとが係止されている状態においては、前記舌片の前記棒部材は、前記把手の主面に形成された前記貫通孔の第１の端部に当接していることを特徴とする光モジュール。
（付記６）
付記２乃至５いずれか一項記載の光モジュールであって、
前記把手を９０度回動すると、前記舌片の前記棒部材は、前記把手の主面に形成された前記貫通孔の第２の端部に当接し、前記舌片の回動が停止されることを特徴とする光モジュール。
（付記７）
付記１乃至６いずれか一項記載の光モジュールであって、
当該光モジュールの下部には壁部が設けられ、
前記把手は、当該光モジュールの２つの側面にそれぞれ設けられ、上部に於いて把手連結部材に互いに連結され、
前記把手連結部材は、前記把手と一体的に回動され、
前記ケージと前記光モジュールとが係止されている状態においては、前記壁部により、当該光モジュールの正面側からの前記舌片への接触が禁止され、
前記把手が回動された状態においては、前記把手連結部材により、当該光モジュールの正面側からの前記舌片への接触が禁止されることを特徴とする光モジュール。
（付記８）
付記１記載の光モジュールであって、
前記舌片は、当該光モジュールの側面上に位置する把手取付部を有し、
前記把手取付部には貫通孔が形成され、
前記把手は、前記把手取付部上に設けられ、棒部材を有し、
前記舌片の前記把手取付部に形成された前記貫通孔内に、前記把手の前記棒部材が位置することを特徴とする光モジュール。
（付記９）
付記８記載の光モジュールであって、
前記把手が所定の角度回動されて、前記把手の前記棒部材が前記貫通孔の外周部分を押すと、前記舌片が前記軸部を中心に回動することを特徴とする光モジュール。
【図面の簡単な説明】
【０１４１】
【図１】光モジュール化された光通信装置の挿脱機構を下方から見た斜視図である。
【図２】図１に示す把手のカム動作を示す要部の側断面図である。
【図３】図１に示す光モジュール化された光通信装置の挿脱機構の問題点を説明するための図である。
【図４】本発明の第１の実施の形態に係る光モジュールの斜視図である。
【図５】図４に示す光モジュールをケージ内に設けた状態の斜視図である。
【図６】把手及びハウジング舌片の構造を説明するための図である。
【図７】図４に示す光モジュールのハウジング舌片の斜視図である。
【図８】図７に示すハウジング舌片を回動させた状態を示す図である。
【図９】図４に示す光モジュールとケージが係止されている状態を示す図（その１）である。
【図１０】図４に示す光モジュールとケージが係止されている状態を示す図（その２）である。
【図１１】把手を、図９及び図１０に示す状態から４５度回動させた状態を示す図（その１）である。
【図１２】把手を、図９及び図１０に示す状態から４５度回動させた状態を示す図（その２）である。
【図１３】把手を、図９及び図１０に示す状態から例えば約７０度回動させた状態を示す図である。
【図１４】把手を、図９及び図１０に示す状態から９０度回動させるときの、把手及びハウジング舌片の状態を示す（その１）である。
【図１５】把手を、図９及び図１０に示す状態から９０度回動させるときの、把手及びハウジング舌片の状態を示す（その２）である。
【図１６】把手を、図９及び図１０に示す状態から９０度回動させた状態を示す図（その１）である。
【図１７】把手を、図９及び図１０に示す状態から９０度回動させた状態を示す図（その２）である。
【図１８】把手の回動を連続的に示す図である。
【図１９】本発明の第２の実施の形態に係る光モジュールを示す図である。
【図２０】図１９に示す光モジュールのハウジング舌片の斜視図である。
【図２１】図１９に示す光モジュールとケージが係止されている状態を示す図（その１）である。
【図２２】図１９に示す光モジュールとケージが係止されている状態を示す図（その２）である。
【図２３】把手を、図２１及び図２２に示す状態から４５度回動させた状態を示す図（その１）である。
【図２４】把手を、図２１及び図２２に示す状態から４５度回動させた状態を示す図（その２）である。
【図２５】把手を、図２１及び図２２に示す状態から９０度回動させた状態を示す図（その１）である。
【図２６】把手を、図２１及び図２２に示す状態から９０度回動させた状態を示す図（その２）である。
【符号の説明】
【０１４２】
３１、１３１  光モジュール
３２  ケージ
３３、１３３  把手
３８  係止ピン
６６  把手連結部材
６７、１６７  貫通孔
６８  壁部
７０、１７０  舌片
７０−１、１７０−１  係止部
７０−２、１７０−３  把手取付部
７３  軸部
７４  把手取付ピン
８１  係止孔
１７４  舌片取付ピン
【図１】
2008233645.tif 000003
【図２】
2008233645.tif 000004
【図３】
2008233645.tif 000005
【図４】
2008233645.tif 000006
【図５】
2008233645.tif 000007
【図６】
2008233645.tif 000008
【図７】
2008233645.tif 000009
【図８】
2008233645.tif 000010
【図９】
2008233645.tif 000011
【図１０】
2008233645.tif 000012
【図１１】
2008233645.tif 000013
【図１２】
2008233645.tif 000014
【図１３】
2008233645.tif 000015
【図１４】
2008233645.tif 000016
【図１５】
2008233645.tif 000017
【図１６】
2008233645.tif 000018
【図１７】
2008233645.tif 000019
【図１８】
2008233645.tif 000020
【図１９】
2008233645.tif 000021
【図２０】
2008233645.tif 000022
【図２１】
2008233645.tif 000023
【図２２】
2008233645.tif 000024
【図２３】
2008233645.tif 000025
【図２４】
2008233645.tif 000026
【図２５】
2008233645.tif 000027
【図２６】
2008233645.tif 000028